(57)【要約】【課題】装着時の不快感が低減されたラバーダムクランプを提供する。【解決手段】略Ｃ字状となるように切欠部１１ａが形成され弾性変形によって切欠部１１ａの幅を拡開可能なスプリング１１と、スプリング１１の両端部にそれぞれ形成されるとともに歯冠Ｔ側面に当接するビーク２３を有するフランジ１２と、を備え、歯冠Ｔが露出するように被せられるラバーダムシートを、露出した歯冠Ｔを一対のビーク２３で挟持することで固定するラバーダムクランプ２０において、ビーク２３は、歯冠Ｔとの当接部分の凹凸形状が患者の歯冠Ｔの形状に合わせて形成されるとともに肉厚が患者の歯冠Ｔの高さと略等しく形成され、歯冠Ｔを挟持したときにビーク２３が歯冠Ｔ側面の上端から下端まで面で当接する。【選択図】図３
2014171698.tif 000002
【特許請求の範囲】
【請求項１】
略Ｃ字状となるように切欠部が形成され弾性変形によって前記切欠部の幅を拡開可能なスプリングと、
前記スプリングの両端部にそれぞれ形成されるとともに歯冠側面に当接するビークを有するフランジと、を備え、前記歯冠が露出するように被せられるラバーダムシートを、前記露出した歯冠を一対の前記ビークで挟持することで固定するラバーダムクランプにおいて、
前記ビークが前記歯冠側面の少なくとも上部及び下部に当接した状態で前記歯冠を挟持することを特徴とするラバーダムクランプ。
【請求項２】
前記ビークは、前記歯冠との当接部分が前記歯冠を包み込むように互いに離間する方向に湾曲して形成されるとともに肉厚が前記患者の歯冠の高さと略等しく形成され、前記歯冠を挟持したときに前記ビークが前記歯冠側面の上部から下部まで面で当接するようにしたことを特徴とする請求項１に記載のラバーダムクランプ。
【請求項３】
前記ビークは、前記歯冠との当接部分の凹凸形状が患者の歯冠の形状に合わせて形成されるとともに肉厚が前記患者の歯冠の高さと略等しく形成され、前記歯冠を挟持したときに前記ビークが前記歯冠側面の上部から下部まで面で当接することを特徴とする請求項１又は２に記載のラバーダムクランプ。
【請求項４】
前記ビークは、樹脂で形成されるとともに肉厚が患者の歯冠の高さと略等しく形成され、前記歯冠を挟持したときに前記ビークが変形して前記歯冠側面の上部から下部まで面で当接することを特徴とする請求項１又は２に記載のラバーダムクランプ。
【発明の詳細な説明】
【技術分野】
【０００１】
本発明は、歯冠を一対のビークで挟持することでラバーダムシートを固定するラバーダムクランプに関するものである。
【背景技術】
【０００２】
歯の治療は広義の外科的処置であるので、多数の菌が存在する唾液が治療中の患部に触れることは当然好ましくない。また、患部に唾液が付着すると治療の作業効率も低下してしまう。
さらに、治療中に患者の舌が動いてしまい、治療の妨げになることも多い。
【０００３】
そこで、治療対象の歯冠を口腔内の他の部位と隔絶するためにラバーダムシートが用いられている。
ラバーダムシートは、治療対象の歯冠がラバーダムシートの表側に露出し、口腔内の他の部位（舌や歯茎、他の歯冠）はラバーダムシートの裏側となるように、歯冠に被せられる。
そして、このラバーダムシートを固定するために、図７及び図８に示すようなラバーダムクランプが開示されている（例えば、特許文献１参照）。
【先行技術文献】
【特許文献】
【０００４】
【特許文献１】特公昭６３−１３７０２号公報
【０００５】
図７及び図８に記載の発明は、略Ｃ字状のスプリング１１と、歯冠側面に当接するビーク１３を有するフランジ１２とを備える。
ビーク１３は一対のフランジ１２の内側端部のことであり、ビーク１３の肉厚はフランジ１２の肉厚に等しい。
また、それぞれのビーク１３は円弧状となっており、一対のビーク１３が向かい合うことによって略円形が形成される。
そして、歯冠が露出するようにラバーダムシートが被せられ、露出した歯冠の下端（歯茎に近い部分）を一対のビーク１３が挟持することでラバーダムシートを固定するものである。
【０００６】
この発明によると、歯茎と歯冠の境界部分である歯冠の下端をビーク１３が挟持するので、歯冠が完全に露出した状態でラバーダムシートをしっかり固定することができる。
【発明の概要】
【発明が解決しようとする課題】
【０００７】
しかしながら、このラバーダムクランプ１０は歯冠の下端をビーク１３が挟持できるようにビーク１３の歯冠側面に当接する部分が線状となっているので、装着時には挟持する圧力が歯冠の下端に集中して掛かってしまう。
したがって、ラバーダムクランプ１０の装着時に歯冠下端や歯茎に痛みを感じる患者も存在して、必ずしも快適な付け心地であるとはいえなかった。
【０００８】
そこで、本発明の目的とするところは、装着時の不快感が低減されたラバーダムクランプを提供することにある。
【課題を解決するための手段】
【０００９】
上記の目的を達成するために、本発明の請求項１に記載のラバーダムクランプ（２０）は、略Ｃ字状となるように切欠部（１１ａ）が形成され弾性変形によって前記切欠部（１１ａ）の幅を拡開可能なスプリング（１１）と、前記スプリング（１１）の両端部にそれぞれ形成されるとともに歯冠（Ｔ）側面に当接するビーク（２３）を有するフランジ（１２）と、を備え、前記歯冠（Ｔ）が露出するように被せられるラバーダムシートを、前記露出した歯冠（Ｔ）を一対の前記ビーク（２３）で挟持することで固定するラバーダムクランプ（２０）において、前記ビーク（２３）が前記歯冠（Ｔ）側面の少なくとも上部及び下部に当接した状態で前記歯冠（Ｔ）を挟持することを特徴とする。
【００１０】
また、請求項２に記載のラバーダムクランプ（２０）は、前記ビーク（２３）は、前記歯冠（Ｔ）との当接部分が前記歯冠（Ｔ）を包み込むように互いに離間する方向に湾曲して形成されるとともに肉厚が前記患者の歯冠（Ｔ）の高さと略等しく形成され、前記歯冠（Ｔ）を挟持したときに前記ビーク（２３）が前記歯冠（Ｔ）側面の上部から下部まで面で当接するようにしたことを特徴とする。
【００１１】
また、請求項３に記載のラバーダムクランプ（２０）は、前記ビーク（２３）は、前記歯冠（Ｔ）との当接部分の凹凸形状が患者の歯冠（Ｔ）の形状に合わせて形成されるとともに肉厚が前記患者の歯冠（Ｔ）の高さと略等しく形成され、前記歯冠（Ｔ）を挟持したときに前記ビーク（２３）が前記歯冠（Ｔ）側面の上部から下部まで面で当接することを特徴とする。
【００１２】
また、請求項４に記載のラバーダムクランプ（２０）は、前記ビーク（２３）は、樹脂で形成されるとともに肉厚が患者の歯冠（Ｔ）の高さと略等しく形成され、前記歯冠（Ｔ）を挟持したときに前記ビーク（２３）が変形して前記歯冠（Ｔ）側面の上部から下部まで面で当接することを特徴とする。
なお、ここでいう下とは歯に対して歯茎側をいい、上とは歯の噛み合わせ部分側をいう。したがって、下顎の歯においては通常の上下方向と一致するが、一方、上顎の歯においては通常の上下方向とは逆となる。
【００１３】
ここで、上記括弧内の記号は、図面および後述する発明を実施するための形態に掲載された対応要素または対応事項を示す。
【発明の効果】
【００１４】
本発明の請求項１に記載のラバーダムクランプによれば、ビークが歯冠側面の少なくとも上部及び下部に当接した状態で歯冠を挟持するので、ビークが歯冠側面の下端のみを挟持する場合に比べて圧力が分散される。よって、歯冠側面を挟持する圧力が低いので、装着時に患者の不快感が低減される。
【００１５】
また、請求項２に記載のラバーダムクランプによれば、請求項１に記載の発明の作用効果に加え、ビークは、歯冠との当接部分が歯冠を包み込むように互いに離間する方向に湾曲して形成されるとともに肉厚が患者の歯冠の高さと略等しく形成したので、歯冠を挟持したときにビークが歯冠側面の上部から下部まで面で当接する。よって、歯冠側面を挟持する圧力がさらに低いので、装着時に患者の不快感が低減される。
【００１６】
また、請求項３に記載のラバーダムクランプによれば、請求項１又は２に記載の発明の作用効果に加え、ビークは、歯冠との当接部分の凹凸形状が患者の歯冠の形状に合わせて形成されるとともに肉厚が患者の歯冠の高さと略等しく形成されるので、歯冠を挟持したときにビークが歯冠側面の上部から下部まで確実に面で当接する。よって、さらに装着時の不快感が低減される。
【００１７】
また、請求項４に記載のラバーダムクランプによれば、請求項１又は２に記載の発明の作用効果に加え、ビークは、樹脂で形成されるとともに肉厚が患者の歯冠の高さと略等しく形成され、歯冠を挟持したときにビークが変形して歯冠側面の上部から下部まで面で当接するので、ビークを患者の歯冠の形状に合わせて形成しなくても、装着時の不快感は少ない。
【００１８】
なお、本発明のラバーダムクランプのように、ビークが歯冠側面の少なくとも上部及び下部に当接した状態で歯冠を挟持する点は、上述した特許文献１には全く記載されていない。
【図面の簡単な説明】
【００１９】
【図１】本発明の実施形態に係るラバーダムクランプを示す平面図である。
【図２】本発明の実施形態に係るラバーダムクランプを示す正面図である。
【図３】本発明の実施形態に係るラバーダムクランプを示す拡大斜視図である。
【図４】本発明の実施形態に係るラバーダムクランプを歯冠に装着した状態を示す拡大平面図である。
【図５】本発明の実施形態に係るラバーダムクランプを歯冠に装着した状態を示す拡大斜視図である。
【図６】本発明の他の実施形態に係るラバーダムクランプを示す正面図である。
【図７】従来例に係るラバーダムクランプを示す平面図である。
【図８】従来例に係るラバーダムクランプを示す正面図である。
【発明を実施するための形態】
【００２０】
図１乃至図５を参照して、本発明の実施形態に係るラバーダムクランプ２０を説明する。
このラバーダムクランプ２０は、スプリング１１と、ビーク２３を有するフランジ１２を備え、特にビーク２３の形状に特徴がある。
本実施形態に係るラバーダムクランプ２０は、最も奥の歯冠Ｔ一つに対して挟持するように装着され、その歯冠Ｔが露出するように被せられたラバーダムシート（図示しない）を固定するものである。
従来例で示したものと同一部分には同一符号を付した。
なお、図４及び図５では簡単のためにラバーダムシートを省略しているが、通常歯茎Ｇはラバーダムシートに覆われており視認できない。
【００２１】
スプリング１１は、幅の狭い金属帯が湾曲してなり、それが略Ｃ字状となるように切欠部１１ａが形成されている。つまり、「Ｃ」という文字における切れた部分が切欠部１１ａである。
その切欠部１１ａの幅は治療対象の歯冠Ｔの幅と略等しく、弾性変形によって切欠部１１ａの幅を拡開可能である。よって、切欠部１１ａの幅を拡開させてもその力を取り去ると、切欠部１１ａの幅は元通り狭くなる。
【００２２】
フランジ１２は、図２に示すように山折りされた板状で、スプリング１１の両端部であってスプリング１１の幅方向に関してそれぞれ同じ側（例えば図１においては下側）に突出するように一対形成される。
よって、図１に示すように平面視においてフランジ１２はスプリング１１とは重なっていない。
【００２３】
また、それぞれのフランジ１２の内側端部には、互いに向かい合い歯冠Ｔへの装着時には歯冠Ｔ側面に当接するビーク２３を有する。
また、それぞれのフランジ１２のスプリング１１近傍には孔１２ａが形成されている。この孔１２ａには拡開治具（図示しない）を挿入可能であって、ラバーダムクランプ２０を歯冠Ｔへ装着するときには、拡開治具によってスプリング１１の切欠部１１ａの幅が一時的に広げられる。
【００２４】
ビーク２３は、歯冠Ｔとの当接部分が歯冠Ｔを包み込むように互いに離間する方向に湾曲して形成され、ラバーダムクランプ２０装着時にはビーク２３は歯冠Ｔ側面に両側から当接する。
しかも、ビーク２３の歯冠Ｔとの当接部分の凹凸形状はそれぞれの患者の歯冠Ｔの形状に合わせて形成されている。よって、一方のビーク２３と他方のビーク２３は互いに異なる形状となっている。
また、一人の患者用のラバーダムクランプ２０であっても装着する歯冠Ｔが異なれば、ビーク２３の形状もそれぞれ異なるように形成される。
このように、患者の歯冠Ｔの形状に合わせてカスタマイズしてビーク２３を一つ一つ形成する方法としては、本実施形態においては患者の歯型を取ってロストワックス法を用いた。
【００２５】
またビーク２３の肉厚は、フランジ１２の肉厚よりも厚く、患者の歯冠Ｔの高さと略等しく形成されている。
したがって、歯冠Ｔを挟持したときにはビーク２３が歯冠Ｔ側面の上端から下端まで面で当接する。
ここで、ラバーダムクランプ２０装着時にフランジ１２が歯冠Ｔの高さ略中央となるように、ビーク２３の肉厚の略中央にフランジ１２が接続されている。
このフランジ１２及びビーク２３はスプリングと同様に金属製である。
【００２６】
以上のように構成されたバーダムクランプ２０の一対のビーク２３でラバーダムシートから露出した歯冠Ｔを挟持して、ラバーダムシートを固定する。
【００２７】
本実施形態に係るラバーダムクランプ２０によれば、ビーク２３は、歯冠Ｔとの当接部分の凹凸形状が患者の歯冠Ｔの形状に合わせて形成されるとともに肉厚が患者の歯冠Ｔの高さと略等しく形成されるので、歯冠Ｔを挟持したときにビーク２３が歯冠Ｔ側面の上端から下端まで確実に面で当接する。よって、歯冠Ｔ側面を挟持する圧力が分散されて低いので、装着時の患者の不快感が低減される。
【００２８】
なお、本実施形態において、ビーク２３の歯冠Ｔとの当接部分の凹凸形状が患者の歯冠Ｔの形状に合わせて形成されたが、これに限られるものではなく、単に歯冠Ｔを包み込むように互いに離間する方向に湾曲して形成されていてもよい。すなわち、歯冠Ｔを挟持したときにビーク２３が歯冠Ｔ側面の上部から下部までおおよそ面で当接すれば、患者一人一人に合わせた形状でなくてもよい。
【００２９】
その他、ビーク２３は、例えばポリ塩化ビニル，シリコーンゴム，熱可塑性エラストマー等の軟質樹脂で形成されていてもよい。この場合、ビーク２３が患者一人一人の歯冠Ｔの形状に合わせて形成されていなくても、歯冠Ｔを挟持したときにビーク２３が変形して歯冠Ｔ側面の上部から下部まで面で当接するので、装着時の不快感は少ない。
【００３０】
また、ビーク２３が歯冠Ｔ側面の上端から下端まで面で当接するとしたが、これに限られるものではなく、上部から下部まで面で当接すればよい。
【００３１】
さらには、図６に示すように、ビーク２３の形状がそれぞれ上下に二又に分かれて、装着時には歯冠Ｔ側面の上部及び下部に当接した状態で歯冠Ｔを挟持してもよい。
このようにビーク２３が面で歯冠Ｔ側面に当接していなくても、従来例のように歯冠Ｔ側面の下端のみに当接するビーク１３を有するものよりは挟持圧力が低減しているので、従来のラバーダムクランプ１０よりは装着時に不快ではない。
【００３２】
また、このラバーダムクランプ２０は最も奥の歯に装着するとしたが、これに限られるものではなく、必要に応じて他の歯に装着可能な形状のビーク２３を有するラバーダムクランプ２０としてもよい。
【符号の説明】
【００３３】
１０      ラバーダムクランプ
１１      スプリング
１１ａ    切欠部
１２      フランジ
１２ａ    孔
１３      ビーク
２０      ラバーダムクランプ
２３      ビーク
Ｇ      歯茎
Ｔ      歯冠
【図１】
2014171698.tif 000003
【図２】
2014171698.tif 000004
【図３】
2014171698.tif 000005
【図４】
2014171698.tif 000006
【図５】
2014171698.tif 000007
【図６】
2014171698.tif 000008
【図７】
2014171698.tif 000009
【図８】
2014171698.tif 000010
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
略Ｃ字状となるように切欠部が形成され弾性変形によって前記切欠部の幅を拡開可能なスプリングと、
前記スプリングの両端部にそれぞれ形成されるとともに歯冠側面に当接するビークを有するフランジと、を備え、前記歯冠が露出するように被せられるラバーダムシートを、前記露出した歯冠を一対の前記ビークで挟持することで固定するラバーダムクランプにおいて、
前記ビークが前記歯冠側面の少なくとも上部及び下部に当接した状態で前記歯冠を挟持し、
しかも前記ビークは、前記歯冠との当接部分の凹凸形状が患者の歯冠の形状に合わせてカスタマイズしてロストワックス法により金属で形成されるとともに、前記歯冠を挟持したときに前記ビークが前記歯冠側面の上部から下部まで面で当接することを特徴とするラバーダムクランプ。
【請求項２】
略Ｃ字状となるように切欠部が形成され弾性変形によって前記切欠部の幅を拡開可能なスプリングと、
前記スプリングの両端部にそれぞれ形成されるとともに歯冠側面に当接するビークを有するフランジと、を備え、前記歯冠が露出するように被せられるラバーダムシートを、前記露出した歯冠を一対の前記ビークで挟持することで固定するラバーダムクランプにおいて、
前記ビークが前記歯冠側面の少なくとも上部及び下部に当接した状態で前記歯冠を挟持し、
しかも前記ビークは、前記歯冠との当接部分の凹凸形状が患者の歯冠の形状に合わせてカスタマイズしてロストワックス法により金属で形成されるとともに肉厚が前記患者の歯冠の高さと等しく形成され、前記歯冠を挟持したときに前記ビークが前記歯冠側面の上部から下部まで面で当接することを特徴とするラバーダムクランプ。
【手続補正２】
【補正対象書類名】明細書
【補正対象項目名】０００９
【補正方法】変更
【補正の内容】
【０００９】
上記の目的を達成するために、本発明の請求項１に記載のラバーダムクランプ（２０）は、略Ｃ字状となるように切欠部（１１ａ）が形成され弾性変形によって前記切欠部（１１ａ）の幅を拡開可能なスプリング（１１）と、前記スプリング（１１）の両端部にそれぞれ形成されるとともに歯冠（Ｔ）側面に当接するビーク（２３）を有するフランジ（１２）と、を備え、前記歯冠（Ｔ）が露出するように被せられるラバーダムシートを、前記露出した歯冠（Ｔ）を一対の前記ビーク（２３）で挟持することで固定するラバーダムクランプ（２０）において、前記ビーク（２３）が前記歯冠（Ｔ）側面の少なくとも上部及び下部に当接した状態で前記歯冠（Ｔ）を挟持し、しかも前記ビーク（２３）は、前記歯冠（Ｔ）との当接部分の凹凸形状が患者の歯冠（Ｔ）の形状に合わせてカスタマイズしてロストワックス法により金属で形成されるとともに、前記歯冠（Ｔ）を挟持したときに前記ビーク（２３）が前記歯冠（Ｔ）側面の上部から下部まで面で当接することを特徴とする。
【手続補正３】
【補正対象書類名】明細書
【補正対象項目名】００１０
【補正方法】変更
【補正の内容】
【００１０】
また、請求項２に記載のラバーダムクランプ（２０）は、略Ｃ字状となるように切欠部（１１ａ）が形成され弾性変形によって前記切欠部（１１ａ）の幅を拡開可能なスプリング（１１）と、前記スプリング（１１）の両端部にそれぞれ形成されるとともに歯冠（Ｔ）側面に当接するビーク（２３）を有するフランジ（１２）と、を備え、前記歯冠（Ｔ）が露出するように被せられるラバーダムシートを、前記露出した歯冠（Ｔ）を一対の前記ビーク（２３）で挟持することで固定するラバーダムクランプ（２０）において、前記ビーク（２３）が前記歯冠（Ｔ）側面の少なくとも上部及び下部に当接した状態で前記歯冠（Ｔ）を挟持し、しかも前記ビーク（２３）は、前記歯冠（Ｔ）との当接部分の凹凸形状が患者の歯冠（Ｔ）の形状に合わせてカスタマイズしてロストワックス法により金属で形成されるとともに肉厚が前記患者の歯冠（Ｔ）の高さと等しく形成され、前記歯冠（Ｔ）を挟持したときに前記ビーク（２３）が前記歯冠（Ｔ）側面の上部から下部まで面で当接することを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
なお、ここでいう下とは歯に対して歯茎側をいい、上とは歯の噛み合わせ部分側をいう。したがって、下顎の歯においては通常の上下方向と一致するが、一方、上顎の歯においては通常の上下方向とは逆となる。
【手続補正６】
【補正対象書類名】明細書
【補正対象項目名】００１４
【補正方法】変更
【補正の内容】
【００１４】
本発明によれば、ビークが歯冠側面の少なくとも上部及び下部に当接した状態で歯冠を挟持するので、ビークが歯冠側面の下端のみを挟持する場合に比べて圧力が分散される。よって、歯冠側面を挟持する圧力が低いので、装着時に患者の不快感が低減される。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
また、本発明によれば、ビークは、歯冠との当接部分の凹凸形状が患者の歯冠の形状に合わせて形成されるとともに肉厚が患者の歯冠の高さと略等しく形成されるので、歯冠を挟持したときにビークが歯冠側面の上部から下部まで確実に面で当接する。よって、さらに装着時の不快感が低減される。
【手続補正９】
【補正対象書類名】明細書
【補正対象項目名】００１７
【補正方法】削除
【補正の内容】